(57)【要約】【課題】パソコン上の通常の操作により、外部映像源からの映像をパソコン用の表示装置に表示する表示領域の位置及びサイズを自由に変更可能な映像信号処理システムを提供する。【解決手段】映像信号処理システム100は、コンピュータ装置200と映像信号処理装置300とから構成され、コンピュータ201には、コンピュータ201の映像信号中に外部映像源400からの映像の表示領域Ｂを確保する表示領域確保手段204と、表示領域Ｂの表示領域情報をコンピュータ201の映像信号に挿入する表示領域情報挿入手段205とを備え、映像信号処理装置300は、コンピュータ201の映像信号から表示領域情報を識別する表示領域情報識別手段301と、外部映像源400の映像信号のフォーマット変換手段303と、コンピュータ201からの映像信号と前記フォーマットが変換された映像信号とを合成する映像信号合成手段302とを備えている。【選択図】図１
2007139866.tif 000002
【特許請求の範囲】
【請求項１】
コンピュータ本体、該コンピュータ本体の入力装置、及び前記コンピュータ本体から出力される映像信号に係る映像を表示する表示装置を含むコンピュータ装置と、前記コンピュータ本体と前記表示装置との間に映像信号用ケーブルを介して接続されると共に、外部映像源から入力する映像信号を、前記表示装置に適合するフォーマットに変換して出力する映像信号処理装置と、を備える映像信号処理システムであって、
前記コンピュータ本体は、
利用者による前記入力装置の操作に基づいて、前記コンピュータ本体の映像信号中に前記外部映像源からの映像信号に係る映像を表示するための表示領域を確保する表示領域確保手段と、
前記表示領域の位置および大きさの情報を含む表示領域情報を、前記コンピュータ本体の映像信号に挿入する表示領域情報挿入手段と、を備え、
前記映像信号処理装置は、
前記コンピュータ本体から入力される映像信号から、該映像信号に挿入された前記表示領域情報を識別する表示領域情報識別手段と、
前記外部映像源から入力される映像信号を、前記表示装置及び前記表示領域に適合するフォーマットに変換するフォーマット変換手段と、
前記外部映像源からの入力される映像信号に係る映像が前記表示領域上に表示されるように、前記コンピュータ本体から入力される映像信号と前記フォーマットが変換された映像信号とを合成する映像信号合成手段と、を備えており、
前記映像信号合成手段により合成された映像信号を前記表示装置に出力することを特徴とする映像信号処理システム。
【請求項２】
前記表示領域は、特定色を有する矩形領域として確保され、前記表示領域情報は、ヘッダ情報と、前記表示領域の開始位置と、前記表示領域情報の終了位置と、チェックサムとを含み、前記特定色と同一の色を有する部分と前記特定色とは異なる色を有する部分とで構成される２進データとして、前記表示領域内に書き込まれることを特徴とする請求項１に記載の映像信号処理システム。
【請求項３】
前記映像信号処理装置は、テレビジョン放送のチューナー部をさらに備えていることを特徴とする請求項１または２に記載の映像信号処理システム。
【請求項４】
前記テレビジョン放送は、地上波・ＢＳデジタル放送を含み、前記映像信号処理装置は、前記地上波・ＢＳデジタル放送の映像信号の暗号を解除する暗号解除手段と、ＭＰＥＧ−２データの圧縮及び伸長を実行するＭＰＥＧ−２エンコーダ／デコーダと、該ＭＰＥＧ−２データを再び暗号化および復号化する再暗号化／復号化手段とを含むことを特徴とする前記映像信号処理システム。
【発明の詳細な説明】
【技術分野】
【０００１】
本発明は、映像信号処理システムに関し、詳しくは、コンピュータ（例えばパーソナルコンピュータ）の表示装置に、コンピュータからの映像信号に係る映像と外部映像源の映像信号に係る映像とを重ね合わせて表示するための映像信号処理装置に関する。
【背景技術】
【０００２】
従来、パーソナルコンピュータ（以下、パソコン）本体とその表示装置との間に映像信号用ケーブルを介して接続されると共に、入力されるビデオテープレコーダ、ＤＶＤプレーヤー、あるいは、テレビゲーム機器等の外部映像源からの映像信号を、パソコンの表示装置に適合するフォーマットに変換して表示するための映像信号処理装置がある（例えば、特許文献１参照）。
【０００３】
このような映像信号処理装置により、パソコンのＣＰＵに負担をかけることなく、パソコンと映像信号処理装置とを映像用ケーブルで接続するだけで、各種外部映像源の映像を高精細なパソコン用の表示装置へ表示することが可能となる。
【０００４】
近年、このような映像信号処理装置には、パソコンの画面中に外部映像源からの映像を小さく重ねて表示するように、２つの映像信号を１つの画面上に同時に表示するいわゆるピクチャー・イン・ピクチャー（ＰｉＰ）機能を備えたものがある。
【特許文献１】特開平１０−２０８２５号公報
【発明の開示】
【発明が解決しようとする課題】
【０００５】
しかしながら、従来のＰｉＰ機能において、表示装置の画面の一部に形成される外部映像源からの映像用の表示領域の位置やサイズを変更するには、映像信号処理装置に対する操作が必要となるか、あるいは、パソコン側の操作によりこのような表示領域の変更を実施するためには、パソコンから映像信号処理装置に対して、映像用信号だけでなく、パソコンのバスに結合する制御ラインを介した制御情報の送信が必要であった。
【０００６】
本発明は、上記課題に鑑みてなされたものであり、コンピュータと映像信号処理装置を映像信号用ケーブルのみで接続しながら、パソコン上の通常の操作と一体の操作により、外部映像源からの映像を表示する表示領域の位置及びサイズを自由に変更可能な映像信号処理システムを提供することを目的とする。
【課題を解決するための手段】
【０００７】
上記目的を達成するために、本発明に係る映像信号処理システムは、コンピュータ本体、該コンピュータ本体の入力装置、及び前記コンピュータ本体から出力される映像信号に係る映像を表示する表示装置を含むコンピュータ装置と、前記コンピュータ本体と前記表示装置との間に映像信号用ケーブルを介して接続されると共に、外部映像源から入力する映像信号を、前記表示装置に適合するフォーマットに変換して出力する映像信号処理装置と、を備える映像信号処理システムであって、前記コンピュータ本体は、利用者による前記入力装置の操作に基づいて、前記コンピュータ本体の映像信号中に前記外部映像源からの映像信号に係る映像を表示するための表示領域を確保する表示領域確保手段と、前記表示領域の位置および大きさの情報を含む表示領域情報を、前記コンピュータ本体の映像信号に挿入する表示領域情報挿入手段と、を備え、前記映像信号処理装置は、前記コンピュータ本体から入力される映像信号から、該映像信号に挿入された前記表示領域情報を識別する表示領域情報識別手段と、前記外部映像源から入力される映像信号を、前記表示装置及び前記表示領域に適合するフォーマットに変換するフォーマット変換手段と、前記外部映像源から入力される映像信号に係る映像が前記表示領域上に表示されるように、前記コンピュータ本体から入力される映像信号と前記フォーマットが変換された映像信号とを合成する映像信号合成手段と、を備えており、前記映像信号合成手段により合成された映像信号を前記表示装置に出力することを特徴とする。
【０００８】
本発明において、好ましくは、前記表示領域は、特定色を有する矩形領域として確保され、前記表示領域情報は、ヘッダ情報と、前記表示領域の開始位置と、前記表示領域情報の終了位置と、チェックサムとを含み、前記特定色と同一の色を有する部分と前記特定色とは異なる色を有する部分とで構成される２進データとして、前記表示領域内に書き込まれるものである。
【０００９】
本発明の一態様において、前記映像信号処理装置は、テレビジョン放送のチューナー部をさらに備えている。
【００１０】
好ましくは、前記テレビジョン放送は、地上波・ＢＳデジタル放送を含み、前記映像信号処理装置は、前記地上波・ＢＳデジタルデジタル放送の映像信号の暗号を解除する暗号解除手段と、ＭＰＥＧ−２データの圧縮及び伸長を実行するＭＰＥＧ−２エンコーダ／デコーダと、該ＭＰＥＧ−２データを再び暗号化および復号化する再暗号化／復号化手段とを含むものである。
【発明の効果】
【００１１】
本発明は、以上のように構成したことにより、コンピュータと映像信号処理装置を映像信号用ケーブルのみで接続しながら、キーボードやマウス等の入力装置を介したパソコン上の通常の操作により、外部映像源からの映像を表示する子画面の位置及びサイズを自由に変更可能な映像信号処理システムを提供することが可能となる。
【００１２】
また、本発明に係る映像信号処理システムは、外部映像源からの映像を、その映像信号を暗号化されていない状態でパソコン本体の汎用バスを通過させることなく、パソコン用の表示装置に表示することが可能であるため、電波産業会（ＡＲＩＢ）のデジタル放送運用規定（ＡＲＩＢ  ＳＴＤ−Ｂ１４、ＡＲＩＢ  ＳＴＤ−Ｂ２５）に準拠する地上テレビ放送の視聴／録画／再生システムを、容易に構成することが可能となる。
【発明を実施するための最良の形態】
【００１３】
以下、本発明の実施の形態を添付図面を参照して説明する。
図１は、本発明の第１の実施形態における映像信号処理システム１００の構成を示すブロック図である。本実施形態における映像信号処理システム１００は、コンピュータ本体２０１、コンピュータ本体２０１の入力装置２０２、及びコンピュータ本体２０１から出力される映像信号に係る映像を表示する表示装置２０３を含むコンピュータ装置２００と、コンピュータ本体２０１と表示装置２０３との間に映像信号用ケーブルＡを介して接続された映像信号処理装置３００とから構成される。本実施形態において、典型的には、コンピュータ装置２００はパソコンからなり、入力装置２０２はキーボードおよびマウス等ポインティングデバイス、表示装置２０３は、ＣＲＴディスプレイまたは液晶ディスプレイ等からなるものである。また、映像信号処理装置３００には、ビデオテープレコーダまたはＤＶＤプレーヤー等の映像機器、あるいは、テレビゲーム機器等からなる外部映像源４００が接続されており、それぞれの映像信号が入力されている。
【００１４】
コンピュータ本体２０１は、機能的には、利用者による入力装置２０２の操作に基づいて、コンピュータ本体２０１の映像信号中に外部映像源４００からの映像信号に係る映像を表示するための表示領域Ｂを確保する表示領域確保手段２０４と、表示領域Ｂの位置および大きさの情報を含む表示領域情報を、コンピュータ本体２０１の映像信号に挿入する表示領域情報挿入手段２０５とを備えている。
【００１５】
また、コンピュータ本体２０１は、図示しないＣＰＵ（中央演算処理装置）、メモリー、ハードディスク装置、および各部を接続するバス等を含み、ハードディスク装置等に保存された後述する表示領域制御プログラムをメモリー上にロードし、ＣＰＵを表示領域制御プログラムに従って動作させることによって、上述した表示領域の確保及び表示領域情報の挿入の各機能を実現するものである。
【００１６】
映像信号処理装置３００は、機能的には、コンピュータ本体２０１から入力される映像信号２０６から、その映像信号２０６に挿入された表示領域情報を識別する表示領域情報識別手段３０１と、外部映像源４００から入力される映像信号４０１を、表示装置２０３および表示領域Ｂに適合するフォーマットに変換するフォーマット変換手段３０３と、外部映像信号に係る映像が表示領域Ｂ上に表示されるように、コンピュータ本体２０１からの映像信号２０６と前記フォーマットが変換された映像信号３０４とを合成する映像信号合成手段３０２とを備えており、映像信号合成手段３０２により合成された映像信号３０５を表示装置２０３に出力し、それによって、コンピュータ装置２００における外部映像源４００の映像のＰｉＰ機能を実現するものである。
【００１７】
次に、主として図２〜図４を参照して、本実施形態における映像信号処理システム１００の動作について説明する。ここで、図２は、コンピュータ本体２０１に保存された表示領域制御プログラムの動作を示すフローチャート、図３は、表示領域Ｂの一例を示す模式図、図４は、映像信号処理装置３００のより詳細な機能ブロック図である。
【００１８】
まず、本実施形態における表示領域制御プログラムは、その起動後、コンピュータ画面の所定の領域に所定のサイズの矩形状の表示領域Ｂを描画する（Ｓ１０）。これによって、コンピュータの映像信号中に外部映像源４００からの映像信号に係る映像を表示するための表示領域Ｂを確保する。この際、表示領域Ｂは、利用者によるマウス等の入力装置２０２の操作によって、その位置および大きさを変更可能なウィンドウとして確保されるものであり、表示領域Ｂ内は、特定の１色（例えば、ピンク）で塗りつぶされている。
【００１９】
次に、表示領域制御プログラムは、表示領域Ｂの位置および大きさに関する表示領域情報を、画像に変換して表示領域Ｂ内に描画する（Ｓ２０）。これによって、コンピュータ本体２０１の映像信号中に、表示領域情報が挿入される。ここで、表示領域情報は、図３に示すように、表示領域情報を識別するためのヘッダ情報、表示領域Ｂの横（Ｘ）方向及び縦（Ｙ）方向の開始位置の座標、表示領域Ｂの横（Ｘ）方向及び縦（Ｙ）方向の終了位置の２進データ、およびそれら２進データのチェックサムを含み、これらの２進データは、１つ以上のピンクの画素からなる部分および１つ以上のピンクとは異なる色（例えば、黒色）の画素からなる部分をそれぞれ１ビットとするビット列として、表示領域Ｂ内の所定の領域に描画されるものである。また、図３の例では、ヘッダ情報は、“Ａ”、“Ｂ”、“Ｃ”の各文字に相当するアスキーコードからなり、表示領域情報は、表示領域Ｂの左上部に描画されているが、本発明は、このヘッダ情報の内容および表示領域情報の表示位置に限定されるものではない。
【００２０】
次に、表示領域制御プログラムは、利用者による入力装置２０２の操作等により、このウィンドウ（したがって、表示領域Ｂ）の位置および大きさが変更されたか否かを判別する（Ｓ３０）。Ｓ３０において、ウィンドウの位置および大きさが変更されていないと判別された場合（いいえ）には、引き続きウィンドウの位置および大きさの変更の監視を継続する。Ｓ３０において、ウィンドウの位置および大きさが変更されたと判別された場合（はい）には、新たな表示領域の表示領域情報を再描画（Ｓ４０）し、引き続きウィンドウの位置および大きさの変更の監視を継続する。
【００２１】
表示領域プログラムが、以上のように動作することによって、パソコン本体２０１からの映像信号２０６には、常に最新の状態の表示領域Ｂと、表示領域Ｂに関する表示領域情報とが含まれることになる。
【００２２】
次に、主として図４を参照して、本実施形態における映像信号処理システム１００における、映像信号処理装置３００の動作を説明する。本実施形態において、映像信号処理装置３００は、外部映像源４００からの映像信号４０１用の入力信号変換部３１０、ＩＰ／スケール変換部３１２、コンピュータ本体２０１からの映像信号２０６用の入力信号変換部３１６、監視／抽出部３１８、ミキサー部３２０、切替手段３１５、出力信号変換部３２２、および、これらの各部を制御するＣＰＵ３２４を備えている。
【００２３】
ここで、図４における各部は、ＣＰＵ３２４の制御の下に、監視／抽出部３１８が図１に示す表示領域識別手段３０１に、ＩＰ／スケール変換部３１２が図１に示すフォーマット変換手段３０３に、ミキサー部３２０及び切替手段３１５が図１に示す映像信号合成手段３０２にそれぞれ相当する。
【００２４】
このような映像信号処理装置３００の動作について詳述すれば、次の通りである。まず、外部映像源４００からの映像信号４０１、および、コンピュータ本体２０１からの映像信号２０６は、それぞれの入力信号変換部３１０、３１６によって、デジタルＲＧＢ信号４０２、２０７に変換される。
【００２５】
ＣＰＵ３２４は、所定の間隔（例えば、１フレーム期間）毎に、監視／抽出部３１８に対して、デジタルＲＧＢ信号に変換されたコンピュータ本体２０１からの映像信号２０７の送出を要求する。映像信号２０７は、監視／抽出部３１８によって常時監視されており、監視／抽出部３１８は、表示領域情報についての予備的な探索を実施して、映像信号２０７中に表示領域Ｂの候補となるデータが存在する場合には、そのフラグを付加して、映像信号２０７をＣＰＵ３２４に送出する。
【００２６】
ＣＰＵ３２４は、受信した映像信号２０７中に上記フラグが存在する場合には、映像信号２０７の精細な探索を実施して映像信号２０７中のヘッダ情報を見つけ出し、引き続く表示領域Ｂの開始位置および終了位置の情報を読み取ると共に、例えば拡大率等の映像信号２０７を表示領域Ｂに表示するために必要なデータを計算する。その際、好ましくは、表示領域Ｂ内に塗りつぶされた色（例えば、ピンク）情報とその他のウィンドウの色情報とを比較することによって、表示領域Ｂを含むウィンドウと他のウィンドウとの重なり合い（存在する場合）の情報も抽出し、表示領域Ｂのうち外部映像源４００の映像を実際に表示する領域を正確に識別するものである。
【００２７】
一方、デジタルＲＧＢ信号に変換された外部映像源４００からの映像信号４０２は、ＣＰＵ３２４の制御の下に、ＩＰ／スケール変換部３１２において、必要に応じてＩＰ変換（すなわち、インターレース信号からプログレッシブ信号への走査方式の変換）、および、拡大／縮小のスケール変換が施され、表示装置２０３および表示領域Ｂに適合するフォーマットの映像信号４０３に変換される。
【００２８】
次いで、映像信号２０７と映像信号４０３とは、ミキサー部３２０において合成されて１つの映像信号４０４が形成される。その際、ミキサー部３２０は、ＣＰＵ３２４の制御の下に、切替制御部３１５によって、映像信号４０３中の表示領域Ｂに映像信号２０７が表示されるように合成するものである。
【００２９】
次いで、映像信号４０４は、出力信号変換部３２２により使用する表示装置２０３に適合する映像信号３０５に変換されて、表示装置２０３に出力される。
【００３０】
ここで、本発明に係る映像信号処理システム１００は、外部映像源４００の映像信号４０１のフォーマット及びコンピュータ装置２００における映像信号２０６、３０５のフォーマットに限定されるものではないが、好ましくは、外部映像源４００の映像信号４０１のフォーマットは、コンポジット信号、セパレート信号、あるいはコンポーネント信号として供給されるＮＴＳＣ（National Television System Comittee）方式の映像信号、ＨＤＴＶの映像信号（例えば、７２０ｐ信号または１０８０ｉ信号）、アナログＲＧＢ信号、またはデジタルＲＧＢ信号を含むものであり、その際、入力信号変換部３１０は、対応する各信号のフォーマットに応じて、Ａ／Ｄ変換回路、Ｙ／Ｃ分離回路、および、輝度信号Ｙとクロマ信号ＣをＲＧＢ信号に変換するクロマデコーダ等を含むものである。
【００３１】
また、本発明に係る映像信号処理システム１００は、コンピュータ装置１００の映像信号２０６、３０５のフォーマットに限定されるものではないが、好ましくは、それぞれ、アナログＲＧＢ信号またはデジタルＲＧＢ信号として供給される、ＶＧＡ、ＳＶＧＡ、ＸＧＡ、あるいはＵＸＧＡ等の各規格の映像信号に対応するものである。その際、入力信号変換部３１６は、対応する各信号のフォーマットに応じてＡ／Ｄ変換回路を含むものであり、出力信号変換部３２２は、Ｄ／Ａ変換回路を含むものである。
【００３２】
さらに、本発明に係る映像信号処理装置３００は、ＩＰ／スケール変換部３１２の具体的態様に限定されず、任意の適切なＩＰ／スケール変換回路を備えるものであるが、好ましくは、所定のフレーム数の画像データを記憶するＤＲＡＭと、ＤＲＡＭへのデータの書き込み／読み取り段にそれぞれ配されるＦＩＦＯバッファと、ＣＰＵ３２４の制御の下に、上記ＤＲＡＭへの画像データの書き込み／読み取りを制御するＤＲＡＭコントローラとを備えるものであり、それによって、上述したような多様な映像信号間のフォーマット変換に柔軟に対応するものである。
【００３３】
また、図示は省略するが、本発明に係る映像信号処理装置３００は、シャープネス補正回路、動き補正回路、またはガンマ補正回路等の画像調整手段をさらに備えるものであってもよい。
【００３４】
ここで、本発明に係る映像信号処理装置は、テレビジョン放送のチューナー部をさらに備え、外部映像源からの映像信号としてチューナー部から供給される映像信号を処理するものであってもよい。次に、本発明に係る映像信号処理システムの第２の実施形態として、地上波・ＢＳデジタル放送のチューナー部を備えた映像信号処理システムについて説明する。地上波・ＢＳデジタル放送は、コンテンツの著作権等の権利保護の観点から映像信号を暗号化して放送するものであり、その取り扱いは、電波産業会（ＡＲＩＢ）のデジタル放送運用規定（ＡＲＩＢ  ＳＴＤ−Ｂ１４、ＡＲＩＢ  ＳＴＤ−Ｂ２５）に準拠する必要がある。特に、暗号を解除した映像信号（ＭＰＥＧ２−ＴＳデジタルデータストリーム）を、汎用バスを通じてコンピュータとの間で送受信することは禁じられており、本発明に係る映像信号処理システムは、このような規定に準拠する地上波・ＢＳデジタル放送の視聴／録画／再生システムを容易に構成するものである。
【００３５】
図５は、本発明の第２の実施形態における映像信号処理システム６００の構成を示すブロック図である。なお、図５に示す映像信号処理システム６００において、上述した第１の実施形態における映像信号処理システム１００と同一の部分には同一の符号を付して参照し、重複する部分の説明は適宜省略する。
【００３６】
映像信号処理システム６００において、その映像信号処理装置５００は、上述した第１の実施形態における映像信号処理装置３００と同様の機能を有する映像信号処理部（同一の符号３００を付す）を備え、さらに、地上波・ＢＳデジタル放送のチューナー部５０１、地上波・ＢＳデジタル放送の映像信号の暗号を解除する暗号解除部５０２、暗号解除された映像信号（ＭＰＥＧ−２ＴＳデジタルストリーム）の圧縮及び伸長を実行するＭＰＥＧ−２エンコーダ／デコーダ５０３、及び、ＭＰＥＧ−２データを任意の適切な暗号化方法によって再び暗号化および復号化する再暗号化／復号化部５０４を含んでおり、再暗号化／復号化部５０４は、例えばＰＣＩバス等の汎用バスを通じてコンピュータ本体２０１に接続されている。
【００３７】
映像信号処理システム６００において、リアルタイムでのテレビ視聴の際の信号の流れは、次のようなものである。チューナー部５０１から供給される暗号化された映像信号（ＭＰＥＧ２−ＴＳデジタルストリーム）５０５は、例えばＢ−ＣＡＳカード等の図示しないライセンス保持部から出力されるライセンス情報を用いて、暗号解除部５０２によって暗号解除される。次いで、暗号解除された映像信号５０６は、ＭＰＥＧ２―ＴＳデータを圧縮または伸長するＭＰＥＧ２エンコーダ／デコーダ５０３によりデコードされる。このデコードされた映像信号は、映像信号４０１として映像信号処理部３００に供給され、第１の実施形態における映像信号処理システム１００と同様に、表示装置２０３の表示領域Ｂに映像信号４０１に係る映像を表示して視聴することができる。
【００３８】
このように、映像信号処理システム６００では、その映像信号処理部３００が、元来、コンピュータ本体２０１の汎用バスを使用することなく、表示装置２０３への外部映像源の映像の表示を可能にするものであるため、上述した規格に準拠する地上波・ＢＳデジタル放送の視聴システムを容易に構成することができる。
【００３９】
さらに、本実施形態における映像信号処理装置５００は、暗号解除された映像信号５０６を、任意の適切な暗号化方法によって再び暗号化および復号化する再暗号化／復号化部５０４を含み、この再暗号化／復号化部５０４が、例えばＰＣＩ等の汎用バスを介してコンピュータ本体２０１に接続されている。したがって、この再暗号化／復号化部５０４により、映像信号処理装置５００とコンピュータ本体２０１との間で送受信される映像データをローカルに暗号化することによって、上述した規格に準拠しつつ、再暗号化された映像データ５１０をコンピュータ本体２０１の図示しないハードディスク装置等に保存することができる。また、同様に、ハードディスク装置等に保存された再暗号化された映像データ５１０を読み出して再暗号化／復号化部５０４により復号化し、ＭＰＥＧ２エンコーダ／デコーダを経て、映像信号４０１として映像信号処理部３００に供給することができ、これによって、地上波・ＢＳデジタル放送の視聴／録画／再生システムが構成されるものである。
【００４０】
なお、上述した第１および第２の実施形態において、映像信号処理装置３００、５００は、パーソナルコンピュータ２０１本体の筐体とは別体に構成された筐体を有する独立した装置として構成されるものであってもよく、または、パーソナルコンピュータ２０１本体が有する任意の適切な拡張スロットに挿入される拡張ボードとしてパーソナルコンピュータ２０１本体の筐体中に収容されるものであってもよい。
【図面の簡単な説明】
【００４１】
【図１】本発明の第１の実施形態における映像信号処理システムの構成を示すブロック図である。
【図２】図１に示す映像信号処理システムにおいて、コンピュータ本体に保存された表示領域制御プログラムの動作を示すフローチャートである。
【図３】図１に示す映像信号処理システムにおいて、表示装置上の表示領域Ｂの一例を示す模式図である。
【図４】図１に示す映像信号処理システムにおける映像信号処理装置のより詳細な機能ブロック図である。
【図５】本発明の第２の実施形態における映像信号処理システムの構成を示すブロック図である。
【符号の説明】
【００４２】
１００，６００：映像信号処理システム、２００：コンピュータ装置、２０１：コンピュータ本体、２０２：入力装置、２０３：表示装置、２０４：表示領域確保手段、２０５：表示領域情報挿入手段、３００：映像信号処理装置、３０１：表示領域情報識別手段、３０３：フォーマット変換手段、３０２：映像信号合成手段、４００：外部映像源、Ａ：映像信号用ケーブル、Ｂ：表示領域
【図１】
2007139866.tif 000003
【図２】
2007139866.tif 000004
【図３】
2007139866.tif 000005
【図４】
2007139866.tif 000006
【図５】
2007139866.tif 000007